(57)【要約】【課題】フェレットなどのペットの飼育に適したペット用トイレ及びそのトイレに使用される交換シートを提供すること。【解決手段】ペットが放されるケージ３１のコーナー部に配置され、ケージ３１のコーナー部で排便・排尿する習性を有するペット用のトイレは、ケージ３１のコーナー部Ｃ１に沿った形状のコーナー部Ｃ３を有する受皿４１と、受皿４１の上面を覆うように同受皿４１上面に載置され、受皿４１のコーナー部寄り部分が露出されるとともに、表裏方向に貫通する多数の貫通孔４７を有する簀の子プレート４５と、受皿４１上に配置されて同受皿４１のコーナー部寄り部分において外部に露出されるとともに受皿４１のコーナー部Ｃ３から離間した部分において簀の子プレート４５によって覆われる便受け部６１ａ，６１ｂと、便受け部６１ａ，６１ｂ基部から立設された衝立部６０とを有する交換シート５９ととを備えている。【選択図】      図１０
2006014727.tif 000002
【特許請求の範囲】
【請求項１】
ペットが放される包囲体内のコーナー部に配置され、同包囲体内のコーナー部で排便・排尿する習性を有するペット用のトイレであって、
前記包囲体のコーナー部に略沿った形状のコーナー部を有する受皿と、
同受皿の上面を覆うように同受皿上面に載置され、同載置状態において前記受皿の前記包囲体のコーナー部と隣接するコーナー部寄り部分が露出されるとともに、表裏方向に貫通する多数の貫通孔を有する蓋部材と、
薄板材から構成され、前記受皿上に配置されて同受皿のコーナー部寄り部分において外部に露出されるとともに同受皿のコーナー部から離間した部分において前記蓋部材によって覆われる便受け部と、同便受け部基部側にて上方に向かって立設された衝立部とを有する交換シートと
を備えたことを特徴とするペット用トイレ。
【請求項２】
前記交換シートの衝立部は、前記包囲体のコーナー部に略沿った形状のコーナー部を有することを特徴とする請求項１に記載のペット用トイレ。
【請求項３】
前記受皿に連結され、前記交換シートの衝立部を前記包囲体側で支える補強部材を備えたことを特徴とする請求項１又は２に記載のペット用トイレ。
【請求項４】
前記補強部材には前記交換シートの衝立部が係合する係合部が設けられていることを特徴とする請求項３に記載のペット用トイレ。
【請求項５】
前記蓋部材に設けられ、同蓋部材の一部を切り離して同蓋部材で覆われる便受け部の露出面積を変更させる切欠溝を有することを特徴とする請求項１〜４のいずれかに記載のペット用トイレ。
【請求項６】
前記補強部材には、前記包囲体の一部と係合する包囲体係合部が設けられていることを特徴とする請求項１〜５のいずれかに記載のペット用トイレ。
【請求項７】
前記受皿内には吸水マットが配置されていることを特徴とする請求項１〜６のいずれかに記載のペット用トイレ。
【請求項８】
ペットが放される包囲体のコーナー部に略沿った形状のコーナー部を有する受皿と、同受皿の上面を覆うように受皿上面に載置され、外部と受皿内とを連通する多数の貫通孔を有するとともに、前記包囲体のコーナー部と隣接するコーナー部寄り部分が露出されるとともに、表裏方向に貫通する多数の貫通孔を有する蓋部材とを備えたペット用トイレに使用されるものであって、
薄板材から構成され、前記受皿上に配置されて同受皿のコーナー部寄り部分において外部に露出されるとともに同受皿のコーナー部から離間した部分において前記蓋部材によって覆われる便受け部と、同便受け部基部側にて上方に向かって立設可能な衝立部とを有することを特徴とする交換シート。
【請求項９】
前記便受け部と前記衝立部とは連結部で連結され、同便受け部及び同衝立面は同連結部を基部として折り畳みあるいは展開させた略同一平面状態と、同連結部を基部として同便受け部及び同衝立面を交差状に配置した立体状態とに形状変化させることができることを特徴とする請求項８に記載の交換シート。
【請求項１０】
前記便受け部と前記衝立部との状態を、立体状態に保持する立体形状保持手段を備えたことを特徴とする請求項９に記載の交換シート。
【請求項１１】
前記衝立部には前記包囲体のコーナー部を境界として折り曲げ可能な折り曲げ線が形成されており、同折り曲げ線延長上において、前記便受け部を左右２分し、一方の便受け部には挿入部を設け、他方の便受け部には前記挿入部が挿入される差し込み孔を設けて前記立体形状保持手段を構成したことを特徴とする請求項１０のいずれかに記載の交換シート。
【請求項１２】
前記衝立部には前記包囲体のコーナー部を境界として折り曲げ可能な折り曲げ線が形成されており、同折り曲げ線延長上において、前記便受け部には折り畳み線が設けられており、同便受け部と前記衝立面とを立体状態に組み立てた状態から同衝立面を同折り曲げ線を基部として内側に折り曲げていく際に、同便受け部は同折り畳み線を頂点として山折れすることを特徴とする請求項８〜１１のいずれかに記載の交換シート。
【発明の詳細な説明】
【技術分野】
【０００１】
本発明は、包囲体内で飼育されるペット用のトイレであって、詳しくは包囲体のコーナー部に配置されるペット用トイレ及び交換シートに関するものである。
【背景技術】
【０００２】
従来のペット用トイレとしては、四角形の容器のものが多かった(例えば特許文献１、２参照)。しかし、係るペット用トイレはペットが前記四角形の容器で排便するよりにしつけること自体が困難であった。
また砂をおいたトイレが有する、ペットが砂をかき回して遊んだり四つ足に砂を付けた状態で歩くため屋内が汚れる問題をなくすため、砂排除板を設けた発面があった(例えば特許文献３参照)。しかし、係る発明ではペットの四つ足に付着した砂を完全に取り除くことは無理なため、飼育室が汚れる問題は依然として解決していなかった。
また、フェレットなどのペットには、砂やほこりを食べてしまい消化不良を起こして病気になることがあるので、砂を使用しないペット用トイレが望ましい。
さらに、フェレットなどのペットには飼育室の角で角に尻を向けて、尿は下方に糞便は後方向に向かって排便する習慣がある。糞便の多くは角の隅に落下するが一部は横方向に飛ぶため、従来のペット用トイレでは飼育室の角を汚す問題があった。
これに対し、飼育室の角に置くのに適したトイレであって、横方向に飛ぶ糞便を受ける面を有するペット用トイレとして、略桶状の前方側を切欠開口させて成るトレー体の上に、略座椅子タイプの床体を載置したペット用トイレの考案があった(例えば特許文献４参照)。
しかも、係るペット用トイレには背もたれ状のフードや底面部を覆うマットがないため、背もたれ状のフードや底面部に付着した便を取り除くため、前記略座椅子タイプの床体を取り外しペット用トイレ全体を洗わなければならない問題が生じていた。
また、床体の角部の隅に開口がないためペットが糞便をした場合に、床体に糞便が乗った状態で目につき人が不快感を持つ問題と、糞便を放置した場合に硬くなって容易に取り除くことができず、見栄えが悪くなる問題を有していた。
また、フェレットは爪を立ててひっかくことが好きなため、試しにフェレットが触れる可能性のある面を柔らかく吸水性の高い素材を使用したマットで覆ってみると、爪をたててマットを壊してしまう問題があった。
また、従来のペット用トイレは比較的大型であるため、収納スペースを確保するのが困難であった。
【特許文献１】特開２００２−１４２５９９号公報
【特許文献２】特開２００３−２３５３８９号公報
【特許文献３】特開２００４−０４９０３０号公報
【特許文献４】実用新案登録第３０５６３１１号公報
【発明の開示】
【発明が解決しようとする課題】
【０００３】
本発明の目的は、従来の四角形の容器のペット用トイレの有するペットが所定の場所で排便するようにしつけること自体が困難となる問題を解決し、飼育室のコーナーで尻を向けて排便するペットの習性を利用したペット用トイレを提供することにある。
また砂をおいたトイレが有する、ペットの四つ足に砂が付着して飼育室内が汚れる問題や砂を食べて消化不良をおこして病気になる問題を解決するため、砂を使わずまたペットが汚物に触れることを可能な限り防止したペット用トイレを提供することにある。
特に、飼育室のコーナーに置くのに適し横方向に飛ぶ糞便を受ける面を有する便容器とすることにより、飼育室の壁が汚れることのないペット用トイレであって、フェレット等のペットの飼育に適したペット用トイレを提供することにある。
また、下に落下した便を受ける面や横方向に飛ぶ便を受ける面を覆うマットを有するペット用トイレとすることにより、従来ではペットが排便する度に必要であった便容器を洗う作業を軽減したペット用トイレを提供することにある。
【課題を解決するための手段】
【０００４】
上記目的を達成するために、請求項１に記載の発明では、ペットが放される包囲体内のコーナー部に配置され、同包囲体内のコーナー部で排便・排尿する習性を有するペット用のトイレであって、前記包囲体のコーナー部に略沿った形状のコーナー部を有する受皿と、同受皿の上面を覆うように同受皿上面に載置され、同載置状態において前記受皿の前記包囲体のコーナー部と隣接するコーナー部寄り部分が露出されるとともに、表裏方向に貫通する多数の貫通孔を有する蓋部材と、薄板材から構成され、前記受皿上に配置されて同受皿のコーナー部寄り部分において外部に露出されるとともに同受皿のコーナー部から離間した部分において前記蓋部材によって覆われる便受け部と、同便受け部基部側にて上方に向かって立設された衝立部とを有する交換シートとを備えたことをその要旨とする。  請求項２に記載の発明では、請求項１に記載の発明において、前記交換シートの衝立部は、前記包囲体のコーナー部に略沿った形状のコーナー部を有することをその要旨とする。
請求項３に記載の発明では、請求項１又は２に記載の発明において、前記受皿に連結され、前記交換シートの衝立部を前記包囲体側で支える補強部材を備えたことをその要旨とする。
請求項４に記載の発明では、請求項３に記載の発明において、前記補強部材には前記交換シートの衝立部が係合する係合部が設けられていることをその要旨とする。
請求項５に記載の発明では、請求項１〜４のいずれかに記載の発明において、前記蓋部材に設けられ、同蓋部材の一部を切り離して同蓋部材で覆われる便受け部の露出面積を変更させる切欠溝を有することをその要旨とする。
請求項６に記載の発明では、請求項１〜５のいずれかに記載の発明において、前記補強部材には、前記包囲体の一部と係合する包囲体係合部が設けられていることをその要旨とする。
請求項７に記載の発明では、請求項１〜６のいずれかに記載の発明において、前記受皿内には吸水マットが配置されていることをその要旨とする。
請求項８に記載の発明では、ペットが放される包囲体のコーナー部に略沿った形状のコーナー部を有する受皿と、同受皿の上面を覆うように受皿上面に載置され、外部と受皿内とを連通する多数の貫通孔を有するとともに、前記包囲体のコーナー部と隣接するコーナー部寄り部分が露出されるとともに、表裏方向に貫通する多数の貫通孔を有する蓋部材とを備えたペット用トイレに使用されるものであって、薄板材から構成され、前記受皿上に配置されて同受皿のコーナー部寄り部分において外部に露出されるとともに同受皿のコーナー部から離間した部分において前記蓋部材によって覆われる便受け部と、同便受け部基部側にて上方に向かって立設可能な衝立部とを有することをその要旨とする。
請求項９に記載の発明では、請求項８に記載の発明において、前記便受け部と前記衝立部とは連結部で連結され、同便受け部及び同衝立面は同連結部を基部として折り畳みあるいは展開させた略同一平面状態と、同連結部を基部として同便受け部及び同衝立面を交差状に配置した立体状態とに形状変化させることができるようにしたことをその要旨とする。
請求項１０に記載の発明では、請求項９に記載の発明において、前記便受け部と前記衝立部との状態を、立体状態に保持する立体形状保持手段を備えたことをその要旨とする。  請求項１１に記載の発明では、請求項１０に記載の発明において、前記衝立部には前記包囲体のコーナー部を境界として折り曲げ可能な折り曲げ線が形成されており、同折り曲げ線延長上において、前記便受け部を左右２分し、一方の便受け部には挿入部を設け、他方の便受け部には前記挿入部が挿入される差し込み孔を設けて前記立体形状保持手段を構成したことをその要旨とする。
請求項１２に記載の発明では、請求項８〜１１のいずれかに記載の発明において、前記衝立部には前記包囲体のコーナー部を境界として折り曲げ可能な折り曲げ線が形成されており、同折り曲げ線延長上において、前記便受け部には折り畳み線が設けられており、同便受け部と前記衝立面とを立体状態に組み立てた状態から同衝立面を同折り曲げ線を基部として内側に折り曲げていく際に、同便受け部は同折り畳み線を頂点として山折れするようにしたことをその要旨とする。
【０００５】
（作用）
請求項１に記載の発明においては、フェレット等のペットが排便・排尿を行う際は、包囲体内のコーナー部へ移動して行う。ペットはコーナー部に配置したペット用トイレの蓋部材上に載って排尿・排便を行う。このとき、ペットが排泄した尿は蓋部材から受皿内に溜まる。また、排泄された糞便は交換シートの便受け部に落ちる。また、飛び散った糞便は交換シートの衝立部で受け止められる。
例えば、上記の受皿をホームベース形状とした場合、受皿の幅を２００〜２５０ｍｍとし、奥行きを２２０〜３２５ｍｍとする。そして、交換シートの衝立部の高さを１５０〜２５０ｍｍとすることが好ましい。そして、受皿で覆われていない部分の便受け部の高さを４０〜１００ｍｍとすることが好ましい。交換シートは一枚で構成されていても、貼着等の手段によって複数枚から構成されていても構わない。また、薄板材であれば紙以外の素材を使用することも自由である。
請求項２に記載の発明においては、請求項１に記載の発明の作用に加え、前記交換シートの衝立部のコーナー部の形状を、前記包囲体のコーナー部に略沿った形状としたことにより、包囲体と交換シートの衝立部との密着性が向上される。
請求項３に記載の発明においては、請求項１又は２に記載の発明の作用に加え、補強部材によって交換プレートの衝立部が支えられ、結果として交換プレートの変形等が抑制される。
請求項４に記載の発明においては、請求項３に記載の発明の作用に加え、補強部材の係合部に交換シートの衝立部が係合することにより、前記補強部材に対する交換シートのズレ等が防止される。
請求項５に記載の発明においては、請求項１〜４のいずれかに記載の発明の作用に加え、前記蓋部材の切欠溝に沿って同蓋部材の一部を切り離すことにより、露出する便受け部の面積が変化するため、ペットの成長に併せて露出する便受け部の面積を広くすることが可能となる。
請求項６に記載の発明においては、請求項１〜５のいずれかに記載の発明の作用に加え、包囲体係合部を介して包囲体に補強部材が係合することにより、包囲体及びトイレに外力が加わっても、包囲体に対するトイレのズレが防止される。
請求項７に記載の発明においては、請求項１〜６のいずれかに記載の発明の作用に加え、排泄された尿は蓋部材の貫通孔から受皿側へと流れ落ちる。受皿側に流れ落ちた尿は吸水マットにより吸水される。
請求項８に記載の発明においては、交換シートを受皿に載置する際には、衝立部を便受け部基部側にて上方に向かって立設させる。この状態で衝立部を包囲体のコーナー部側寄りとなるように便受け部を受皿上に配置する。
請求項９に記載の発明においては、請求項８に記載の発明の作用に加え、前記便受け部と前記衝立部とは連結部で折り畳み可能に連結されいるため、同便受け部及び同衝立面は同連結部を基部として折り畳みあるいは展開させた略同一平面状態と、同連結部を基部として同便受け部及び同衝立面を交差状に配置した立体状態とに形状変化させることができる。つまり、交換シートを略同一平面状態とすることができるので多数の交換シートを積層状態で保管できる。そして、便受け部と衝立部との状態を立体状態、つまりペット用トイレへ交換シートを使用可能状態とする際には便受け部を受皿上に、衝立部を包囲体のコーナー部側寄りへの配置させるようにする。
請求項１０に記載の発明においては、請求項９に記載の発明の作用に加え、立体形状保持手段により、連結部における便受け部と衝立部との状態が立体状態に保持される。
請求項１１に記載の発明においては、請求項１０に記載の発明の作用に加え、連結部において便受け部と衝立部とを屈折させた後、一方の便受け部に形成された挿入部を他方の便受け部に形成された差し込み孔へ挿入することにより、立体形状の状態が保持される。  請求項１２に記載の発明においては、請求項８〜１１に記載の発明の作用に加え、便受け部を折り畳み線を基部として折り畳むことにより、同便受け部上に溜まった便が便受け部と衝立部とにより包囲された状態となり、便のこぼれ等が防止される。この時、便受け部前方が折り畳みに伴って若干上向きになることが好ましい。また、前記衝立部には前記包囲体のコーナー部を境界として折り曲げ可能な折り曲げ線が形成されることが折り曲げのしやすさの点から好ましい。
【発明の効果】
【０００６】
請求項１に記載の発明によれば、ペットが排泄した糞便は交換シート上に溜まることから、便の後始末をする際は、交換シートだけを新たなものに交換すればよいので、トイレの掃除等が簡単にできるという優れた効果を奏する。
請求項２に記載の発明によれば、請求項１に記載の発明の効果に加え、交換シートの衝立部を包囲体のコーナー部により近接させることができることから、ペットが排便・排尿するスペースを広く確保でき、ペットのストレスを軽減することができるという優れた効果を奏する。
請求項３に記載の発明によれば、請求項１又は２に記載の発明の効果に加え、交換シートの変形を抑制できることから、便を確実に受け取ることができるという優れた効果を奏する。
請求項４に記載の発明によれば、請求項３に記載の発明の効果に加え、より確実に便を受け取ることができるという優れた効果を奏する。
請求項５に記載の発明によれば、請求項１〜４のいずれかに記載の発明の効果に加え、ペットの成長に併せて露出する便受け部の面積を広くすることが可能となる。
請求項６に記載の発明によれば、請求項１〜５のいずれかに記載の発明の効果に加え、包囲体に対するトイレのズレを防止できることから、ペットが所定位置、すなわち、トイレ以外の場所で排便・排尿を行うのを防止することができ、衛生面が向上するという優れた効果を奏する。
請求項７に記載の発明によれば、請求項１〜６のいずれかに記載の発明の効果に加え、受皿側に流れ落ちた尿は吸水マットに吸水されることから、溜まった尿を排除する際は吸水マットの交換だけでよいので、トイレの掃除等が簡単にできるという優れた効果を奏する。
請求項８に記載の発明によれば、ペットが排泄した糞便は交換シート上に溜まることから、糞便の後始末をする際は、交換シートだけを新たなものに交換すればよいので、トイレの掃除等が簡単にできるという優れた効果を奏する。
請求項９に記載の発明によれば、請求項８に記載の発明の効果に加え、多数の交換シートを積層状態で保管できることから、交換シートが嵩張ることなく小スペースで保管できるという優れた効果を奏する。
請求項１０に記載の発明によれば、請求項８又は９に記載の発明の効果に加え、便受け部と衝立部との状態を立体状態に保持できることから、交換シートをペット用トイレに配置した際に便受け部と衝立部との状態が展開状態に復帰するのを防止でき、便受け部にて確実に糞便の受取を行うことができるという優れた効果を奏する。
請求項１１に記載の発明によれば、請求項１０に記載の発明の効果に加え、接着剤等を使用することなく便受け部と衝立部との状態を立体状態に保持できることから、交換シートの組み立て作業の簡略化を図ることができるという優れた効果を奏する。
請求項１２に記載の発明よれば、請求項８〜１１のいずれかにに記載の発明の効果に加え、衛生面で優れているとともに、糞便の処理作業を簡単に行うことができるという優れた効果を奏する。
【発明を実施するための最良の形態】
【０００７】
（実施の形態１）
以下、本発明を具体化した第１実施形態を図１〜図６に示し説明する。実施の形態１のペット用トイレ１は平面視において概略ホームベース形状の便容器２と簀の子床３と便容器マット４を有している。そして、便容器２の幅Ａ＝２５０ｍｍ、便容器２の奥行きＢ：３１５ｍｍとした。
便容器２は受皿２ａと受皿２ａの傾斜辺２ｆで垂直に連結する高さＤ＝２００ｍｍの衝立２ｂとを有しており、衝立２ｂは平面視において９０度に折れ曲がり垂直の稜線２ｇを有するものとした。そして、衝立２ｂの上部裏側に２個のボルト部２ｅを取り付けた。
また、受皿２ａの傾斜辺２ｆ以外の辺には高さＥ＝１５ｍｍの立上がり２ｈ、２ｊを設け、立上がり２ｈの上端で水平に折り曲げて２カ所の挿入部２ｃを設けた。そして、２カ所の挿入部２ｃにそれぞれピン穴２ｄを設けた。
簀の子床３は、平面視概略ホームベース形状の外形から三角空間１ａを取り除いた、概略６角形の格子形状の簀の子面３ｃを有するものとし、三角空間１ａは傾斜辺３ａを延長した交点３ｂから端辺３ｆまでの高さＣ：４０ｍｍである直角二等辺三角形となるようにした。そして、端辺３ｆを上にして置いたときに左右両辺に当たる辺に折返し３ｈを設けて凹部３ｅを構成し、凹部３ｅの上に２個の止穴３ｄを設けた。さらに、端辺３ｆから所定の間隔をおいて４本の切欠３ｇを設けた。
便容器マット４は、平面視概略ホームベース形状の平面部と、平面部の２辺の傾斜辺４ｆにおいて垂直に連結する衝立カバ４ｂであって、平面視で稜線４ｇにおいて９０度に折曲がる衝立カバ４ｂとを有する構成とした。平面部は、吸水性の高い紙で構成した吸水部４ｅと、表面をなめらかにした厚紙で構成した平面視で傾斜辺４ｆを２辺とする直角二等辺三角形の三角部４ｄとで構成した。衝立カバ４ｂは、表面をなめらかにした厚紙で構成し、その上部に折返し４ａを設けて凹部４ｎを構成し、折返し４ａに取付穴４ｃを設けた。さらに、衝立カバ４ｂの稜線４ｇ、傾斜辺４ｆ及び傾斜辺の交点４ｍを通り三角部４ｄを二等分する分直線４ｈのそれぞれに折り目を設けた。
【０００８】
実施の形態１のペット用トイレ１は以上のように構成されており、以下その作用について記載する。ペット用トイレ１を組み立てるときは、便容器２の衝立２ｂの上部を便容器マット４の凹部４ｎの中に挿入し、ボルト部２ｅを取付穴４ｃに通す。そして、衝立カバ４ｂで衝立２ｂを、三角部４ｄと吸水部４ｅで受皿２ａを、それぞれ覆うようにして取り付けた後にネジ５ａ付きノブ５で固定する。
その後、便容器の２ヶ所の挿入部２ｃを簀の子床３の凹部３ｅに挿入するようにして、便容器2に対して實の子床３をスライドさせて取り付け、ピン穴２ｄと止穴３ｄの位置を一致させて段付ピン１１を差し込み移動防止する。
フェレットなどのペットは、飼育室の角で排泄する習慣があるので無理にペットをしつける必要はなく・ペット自身がペット用トイレ１で衝立２ｂの稜線２ｇに尻を向けて排便する。このとき尿は簀の子面３ｃを通って受皿２ａに流れ、糞便の大部分は三角空間１ａを通って三角部４ｄの隅に落下するが、一部は横方向に飛ぶため衝立カバ４ｂに付着する。
ペットが排便した糞便は簀の子床３の下に隠れるため人の目につきにくい。また、尿は吸水部４ｅに吸水されるので、便容器マット４を取り外すことにより、三角部４ｄに載ったり衝立カバ４ｂに付着した糞便と共に取り除くことができる。
また、ペットが触れる可能性のある面を、表面をなめらかにした厚紙で構成した便容器マット４とし、便容器２に対する簀の子床３の取り付けを凹部３ｅと挿入部２ｃとからなる保持機構１ｂを有するペット用トイレ１とし、ピン穴２ｄ、止穴３ｄ及び段付きピン１１とからなる移動防止機構を設けたので、爪を立ててひっかくことが好きなフェレットなどのペットがいたずらをしても、便容器マット４が破れたり剥がれたりせずまた簀の子床３が外れたりすることはない。
便容器マット４の吸水部４ｅを折線４ｋが谷の底になるようにしで折り曲げ(以下単に「谷折り」といい、反対に折り曲げることを「山折り」という。)、続いて吸水部４ｅと三角部４ｄとの境界線で谷折りし、さらに分直線４ｈで山折りしつつ稜線４ｇと傾斜辺４ｈとで谷折りすると便容器マット４は１枚のシート状になる。
【０００９】
上記第1の実施の形態では、受皿２ａを外側に折り曲げた挿入部２ｃと簀の子床を折返した凹部３ｅとで保持機構１ｂを構成したが、図７の（ａ）、（ｂ）に示したように、受皿８ａを内側に折り曲げた挿入部８ｂと簀の子床９ａの外側に向けて設けた凹部９ｂとで保持機構を構成してもよく、また、受皿８ｃに設けた凹部８ｄと簀の子床９ｃの両端に設けた挿入部９ｄとで保持機構を構成してもよい。
また、上記第1実施形態では、ボルト部２ｅと取付穴４ｃを有する折返し４ａ及びネジ５ａ付きノブ５とで、便容器マットの固定機構１ｃを構成したが、図８の（ｃ）、（ｄ）、（ｅ）に示したように、衝立カバ６ａと衝立７ａの固定機構をボルト付きノブ１２とネジ付きノブ５とで構成したり、衝立７ｂに凹部７ｃを衝立カバ６ｂに折返し６ｃをそれぞれ設けて、折返し６ｃを凹部７ｃに挿入する構成の固定機構としたり、Ｕ字バネ１４を使用した衝立カバ６ｄと衝立７ｄの固定機構とすることもできる。
（実施の形態２）
次に本発明を具体化した実施の形態２について説明する。
図９に示すように、柵状のケージ３１は複数本の針金材３１ａを縦横に格子状に配列した４つの直角のコーナー部Ｃ１を有する平面４角形状に形成されている。同ケージ３１内の１コーナー部Ｃ１には、ペット用トイレ４０が配置されている。図１０〜図１３に示すように、前記ペット用トイレ４０を構成する受皿４１は合成樹脂から形成され、上部が開放する略平面正方形の箱状に形成され、前記ケージ３１のコーナー部Ｃ１と対抗する受皿４１のコーナー部Ｃ２も略直角状とされている。受皿４１の上面の４縁面は第１の支持面４１ａ、４１ｂ及び第２の支持面４１ｃ、４１ｄとなっている。第１の支持面４１ｃ，４１ｄには上方に向かって開口する係合長穴４２が等間隔でそれぞれ３穴ずつ形成されている。両第２の支持面４１ｃ，４１ｄの交差部付近には上方に向かって開口するネジ穴４３が形成されている。受皿４１の内底には吸水性の高い紙で構成された吸水マット４４が配置されている。
【００１０】
前記受皿４１の第２の支持面４１ｃ，４１ｄには合成樹脂からなる蓋部材としての簀の子プレート４５が受皿４１の上部を覆った状態で載置されている。簀の子プレート４５は前記受皿４１と略平面同形状をなし、前記第２の支持面４１ｃ，４１ｄに接触する面と平行な外側部が下方に向かって屈曲形成された規制部４５ａ，４５ｂが形成されている。規制部４５ａ，４５ｂと前記受皿４１の側面との接触により、第１の支持面４１ａ，４１ｂ側への簀の子プレート４５の移動が規制されている。また、前記受皿４１のネジ孔４３と対抗する簀の子プレート４５の部位にはネジ挿通孔４６が形成されている。図１０及び図１１に示すように、ネジ挿通穴４６を介してから蝶ネジ４９が前記受皿４１のネジ穴４３に螺合されている。
受皿４１の第１の支持面４１ａ，４１ｂと平行に配置された簀の子プレート４５の２辺の直交する部位のコーナー部Ｃ５は平面直角二等辺三角形状に切り欠かれた開口部Ｓとなっており、この開口部Ｓと対向する部位の前記受皿４１は露出状態となる。また、簀の子プレート４５には平面長孔状の貫通孔４７が等間隔で多数形成されている。図１７に示すように、前記簀の子プレート４５の裏面において、開口部Ｓの底辺Ｗに隣接する１列目の貫通孔４７と２列目の貫通孔４７との間、及び２列目の貫通孔４７と３列目の貫通孔４７との間を仕切る延長線上には切欠溝４８ａ，４８ｂが形成されている。
【００１１】
図１０、図１２及び図１３に示すように、前記受皿４１の第１の支持面４１ａ，４１ｂには補強部材としての衝立プレート５０が連結されている。衝立プレート５０は合成樹脂から形成され、前記受皿４１との非連結状態においては、図１６（ａ）の実線にて示す状態では、図１６（ｂ）に示すように、横長の板状に保持されている。また、衝立プレート５０の左右方向における中心部には折り曲げ部５１が垂線方向に設けられている。折り曲げ部５１は他の部位の厚さよりも薄肉に形成され、前記受皿４１に連結した際（連結時の詳細は後述する）には、同図の二点鎖線にて示すようにコーナー部Ｃ３が略直角状に保持される。なお、本実施の形態では、図９〜１２及び図１７において、折り曲げ部５１よりも左側の部位の衝立プレート５０を左側プレート５０ａ、右側の部位の衝立プレート５０を右プレート５０ｂとよぶ。
図１１及び図１３に示すように、両プレート５０ａ，５０ｂの下面には前記受皿４１の係合長穴４２に係合する係合凸部５２が等間隔で３つずつそれぞれ突出形成されている。また、両プレート５０ａ，５０ｂの下端面から前記簀の子プレート４５の厚みと略同寸法だけ上方に離間したプレート５０ａ，５０ｂの下部内側面には押圧片５４がそれぞれ形成されている。
図１２及び図１３に示すように、両プレート５０ａ，５０ｂの下部外側面には、側面直角三角形状（図１３において）の支持突起片５５が等間隔で３片ずつ形成されている。支持突起片５５の下端面は前記プレート５０ａ，５０ｂの下端面と面一（フラット）となっている。
【００１２】
図１０〜図１３に示すように、両プレート５０ａ，５０ｂの上部内側面には断面横Ｌ字状の係合部を構成する係止片５６がそれぞれ形成されている。係止片５６はプレート５０ａ，５０ｂの内側面に対して直角に延びる連結部５６ａと同連結部に対して直角に屈曲し、プレート５０ａ，５０ｂの内側面と平行に延びる支持部５６ｂとより構成されている。また、図１２及び図１３に示すように、両プレート５０ａ，５０ｂの外側面上部には包囲体係合部を構成するプレート結合片５７が外方向に向かってそれぞれ形成されている。プレート結合片５７にはプレート５０ａ，５０ｂ面と平行に開口するプレート貫通孔５７ａが形成されている。なお、このプレート貫通孔５７ａには後述する包囲体係合部を構成する金属製（樹脂製や木製としても良い）の貫抜きプレートＫが挿入される。
図１４は薄板材としての交換シート５９の展開図であり、同交換シート５９は撥水性の高い樹脂コーティングされた紙（ボール紙としてもよい）から構成され、横長の長方形状をなす衝立部６０、同衝立部６０の下部に設けられた第１の便受け部６１ａ及び第２の便受け部６１ｂから形成されている。前記衝立部６０の長手方向の中心部には上下方向に延びる分割線としての第１の谷折り線部Ｔ１が設けられている。前記第１の谷折り線Ｔ１の延長線上における便受け部６１ａ，６１ｂの間は切断されて両便受け部６１ａ，６０ｂは２分されている。両便受け部６１ａ，６１ｂと前記衝立部６０との境界部には連結部としての第２の谷折り線Ｔ２及び連結部としての第３の谷折り線Ｔ３が設けられている。同図に示す交換シート５９の状態が、交換シート５９の展開状態となる。
また、第１の便受け部６１ａの頂点Ｐ１と底辺Ｌ１とを結ぶ垂線上には折り畳み線としての第１の山折り線Ｙ１が設けられている。また、第１の便受け部６１ａには表裏を連通する構成する切り込み孔６２（立体形状保持手段）が形成されている。前記第２の便受け部６１ｂの頂点Ｐ２と底辺Ｌ２とを結ぶ垂線上には折り畳み線としての第２の山折り線Ｙ２が設けられている。また、第２の便受け部６１ｂの先端部には前記第１の便受け部６１ａの切り込み孔６２の切り込み幅と略同幅の挿入部６３（立体形状保持手段）が形成されている。
図１５（ａ）は第１〜第３の谷折り線Ｔ１〜Ｔ３を谷折りし、第１の便受け部６１ａの切り欠き孔６２に第２の便受け部６１ｂの挿入部６３を差し込んで、交換シート５９を組み立てた状態、すなわち、トイレ使用時の状態を示す交換シート５９の斜視図であり、交換シート５９の組み立て状態時においては衝立部６０のコーナー部Ｃ４は前記各コーナー部Ｃ１，Ｃ２，Ｃ３と同じように直角状に保持される。同図に示す交換シート５９の状態が、交換シート５９の立体開状態となる。
【００１３】
次に各部材を組み立て、その組み立てられたペット用トイレ４０を設置する際の一例を説明する。
まず、図１０、図１２及び図１３に示すように、受皿４１内に吸水マット４４を配置する。次に受皿４１の第２の支持面４１ｃ、４１ｄ上に簀の子プレート５０を載置する。次に蝶ネジ４９を簀の子プレート４５のネジ挿通孔４６を介して受皿４１のネジ穴４３に螺合させ、受皿４１に対する簀の子プレート４５の移動を規制する。次に衝立プレート４５を折り曲げ部５１より折り曲げて、各係合凸部５２を受皿４１の各係合長穴４２にそれぞれ差し込んで係合させる。このとき、衝立プレート５０の押圧片５４により簀の子プレート４５は上面から押圧され、第１の支持面４１ａ，４１ｂ側の簀の子プレート４５の浮き上がり防止される。また、各支持突起５５の下端面が受皿４０の第１の支持面４１ａ，４１ｂと接触することで、衝立プレート５０の外方向への傾きが防止される。
次に交換シート５９を図１４の展開状態から、各折り部を所定方向に折り、挿入部６３を差し込み孔６２へ差し込んで図１５に示すように組み立てる。次に図１０、図１２及び、図１３に示すように、交換シート５９の便受け部６１ａ，６１ｂを、受皿４１の第１の支持面４１ａ，４１ｂと簀の子プレート４５との間に挿入する。そして、交換シート６１の衝立部６１ａの上部を衝立プレート５０の係止片５６に差し込む。
【００１４】
次に図９、図１０、図１２及び図１３に示すように、ケージ３１のコーナー部Ｃ１に、受皿４１の第１の支持面４１ａ，４１ｂが交差するコーナー部Ｃ２を合わせてペット用トイレ４０をケージ３１内に配置する。そして、図１２及び図１３に示すように、ケージ３１外に露出する衝立プレート５０のプレート結合部５７のプレート挿通孔５７ａにそれぞれ貫抜きプレートＫを差し込む。この状態においては、貫抜きプレートＫが縦方向に配列されたケージ３１の針金材３１ａと接触してストッパとなり、ケージ３１からペット用トイレ４０が離間するのが防止される。
以上のようにしてペット用トイレ４０の設置を行い、次いでケージ３１内にフェレットを放す。フェレットはその習性からケージ３１内のコーナー部で排便・排尿を行う。従って、フェレットは排便・排尿を行う際、ケージ３１内のペット用トイレ４０側に移動する。そして、フェレットが排便・排尿を行う際には、簀の子プレート４５上に乗り、ケージ３１のコーナーＣ１側に尻を向けて行う。このとき、フェレットから排泄された尿は簀の子プレート４５の貫通孔４７から受皿４１内の吸水マット４４により吸水される。また、排泄された比較的大きな糞便は簀の子プレート４５の開口部Ｓに露出する交換シート５９の便受け部６１ａ，６１ｂ上に載る。また、便受け部６１ａ，６１ｂ上に載らずに、後方に飛び散った糞便は交換マット６０の衝立部６０で受け止められ、外部に飛び散るのが防止される。
【００１５】
排泄された糞便がある程度溜まったら、交換シート５９の衝立部６０を衝立プレート５０の係止片５６から外すとともに、便受け部６１ａ，６１ｂを受皿４１の第１の支持面４１ａ，４１ｂと簀の子プレート４５の間から引き抜く。そして、便受け部６１ａ，６１ｂ上の糞便がこぼれ落ちないように、図１５（ｂ）に示すように、便受け部６１ａ，６１ｂの山折り部Ｙ１，Ｙ２を山折りに曲げ、衝立部６０と便受け部６１ａ，６１ｂとで便を挟み込むようにして把持して、所定の場所に廃棄する。このように、交換シート５９を把持することにより、交換シート５９からの糞便のこぼれ落ちが防止される。また、山折りにした便受け部６１ａ，６１ｂは前方が若干高くなって糞便が後方（衝立部６０寄り）に溜まるようになるので糞便がこぼれにくくなる。
次に蝶ネジ４９を外すと共に、受皿４１から衝立プレート５０を取り外す。そして、吸水マット４４を未使用の新たなものと交換し、再度ペット用トイレ４０の組み立てを行う。
また、飼育しているフェレットが成長し、体型が大きくなってきた際には、簀の子プレート４５の切欠溝４８ａ又は切欠溝４８ｂを切断する。簀の子プレート４５は合成樹脂から形成されているとともに、図１７に示す各切欠溝４８ａ，４８ｂは他の部位よりも薄肉なっていることから、手で簡単に切断できるようになっている。そして、いずれかの切欠溝４８ａ，４８ｂを切断したら、上記の組み立て時と同様にペット用トイレ４０を組み立てて、ケージ３１内にトイレ４０を配置する。
図１８は切欠溝４８ａを切断した際のペット用トイレ４０をケージ３１内に配置した斜視図であり、空間部Ｓの面積が上記図１０の開口部Ｓの面積よりも拡大されている。開口部Ｓの面積が拡大されることにより、交換シート５９の便受け部６１ａ，６１ｂの露出面積が拡大され、フェレットが成長して大きくなっても排泄される糞便が簀の子プレート４５に付着するのを防止できる。
【００１６】
上記のようにペット用トイレ４０を構成することにより本実施の形態では上記実施の形態１の効果に加え、次のような効果が奏される。
（１）簀の子プレート４５は受け皿４１のコーナー部Ｃ２に寄った部分が切り欠き状の開口部Ｓとされ露出されて便受け部６１ａ，６１ｂが現れている。そしてフェレットはその習性からこの露出部分に向かって排便をすることとため、簀の子プレート４５が糞便で汚れにくくなる。また、便受け部６１ａ，６１ｂはコーナー部Ｃ２に寄った部分を除いて簀の子プレート４５によって覆われているため、フェレットが便受け部６１ａ，６１ｂを噛んだり引き裂いたりしてダメージを与えることがない。
（２）糞便の廃棄作業は基本的に交換シート５９のみの交換だけでよいことから、トイレ４０の掃除作業等を簡単に行うことができる。また、糞便は交換シート５９以外の場所にはほとんど付着しないことから、さらにトイレ４０の掃除作業等を簡素化できる。
（３）交換シート５９の便受け部６１ａ，６１ｂにそれぞれ山折り部Ｙ１，Ｙ２を設けたことにより、便受け部６１ａ，６１ｂ上に排泄された糞便を衝立部６０、便受け部６１ａ，６１ｂとで挟み込むようにして把持でき、廃棄作業中に糞便が交換シート５９からこぼれ落ちるのを防止できる。
（４）交換シート５９の便受け部６１ａ，６１ｂを受皿４１と簀の子プレート４５との間に挟み込むように配置したことにより、便受け部６１ａ，６１ｂの捲れが防止され、確実に排泄された糞便を便受け部６１ａ，６１ｂ上に載せることができる。
（５）簀の子プレート４５の裏面に切欠溝４８ａ，４８ｂを設けて開口部Ｓの面積を変更可能に構成したことにより、開口部Ｓの面積の異なる複数の簀の子プレートを用意することなく、フェレットの成長に合わせて開口部Ｓの面積を変更することができ、コストの削減を図ることができるとともに、開口部Ｓの異なる毎の簀の子プレートの在庫管理を必要としない。
（６）本実施の形態では、受皿４１、衝立プレート５０、交換シート５９のコーナー部Ｃ２〜Ｃ４の形状をケージ３１のコーナー部Ｃ１の形状と略同形状とし、ケージ３１のコーナー部Ｃ１に沿うように構成した。これにより、ケージ３１のコーナー部Ｃ１とペット用トイレ４０との密着性を高めることができ、確実にフェレットにペット用トイレ４０で排便・排尿を行わせることができるとともに、ケージ３１内のスペースを有効に利用することができる。
（７）本実施の形態のペット用トイレ４０は受皿４１、簀の子プレート４５、衝立プレート５０、吸水マット４４、交換シート５９、蝶ネジ４９、プレートＫから構成し、それぞれ分解可能としたことにより、トイレ収納時等に小スペースへの保管が可能となる。    （８）１枚の衝立プレート５０に折り曲げ部５１を設け、その部位において直角に折り曲げて受皿４０に連結するようにしたことにより、部品点数の減少を図ることができる。  （９）交換シート５９の所定部位に谷折り部Ｔ１〜Ｔ３と山折り部Ｙ１，Ｙ２、さらに、差し込み孔６２と挿入部６３を設け、所定形状に折った後、差し込み孔６２に挿入部６３を挿入することで、１枚の紙から立体的な交換シート５９を形成できるようにした。これにより、組み立て前の交換シート５９を展開状態で保管できるので、嵩張ることなく交換シート５９を小スペースで保管できる。また、接着剤等を使用することなく交換シート５９の組み立てが可能であることから、組み立て作業の簡略化を図ることができる。
（１０）衝立プレート５０の外側面にはプレート結合片５７を設け、そのプレート挿入孔５７ａに専用のプレートＫを挿入してケージ３１に対するペット用トイレ４０の移動を規制するようにした。これにより、フェレットがペット用トイレ４０にぶつかったり、引っ掻いたりした場合でも、ケージ３１に対してペット用トイレ４０がズレたり、ひっくり返ったりするのを防止でき、糞便・尿によるケージ３１内の汚れを防止することができる。
【００１７】
なお、本発明は次のように具体化して実施してもよい。
・フェレット以外のペットで具体化してもよい。
・上記実施の形態２において、受皿４１の平面形状を略正方形以外の形状として具体化してもよい。すなわち、ケージ３１のコーナー部Ｃ１に対応させて受皿４１の形状を適宜変更して具体化してもよい。この場合、もちろん、簀の子プレート４５の平面形状や交換シート５９の各折れ線部の数及び形状等もそれに対応させて変更する。
・上記実施の形態２において、貫抜きプレートＫを使用せずに具体化してもよい。
・上記実施の形態２において、蓋部材としての簀の子プレート４５の貫通孔４７の形状を長穴以外の楕円形状や長方形形状、その他種々の形状で具体化してもよい。
・上記実施の形態２において、補強部材としての衝立プレート５０を使用せずに具体化してもよい。
・上記第２の実施も形態において、蓋部材としての簀の子プレート４５の裏面側に設けた切欠溝４８ａ、４８ｂを設けずに具体化してもよい。
・上記実施の形態２において、補強部材としての衝立プレート５０に係合部５６を設けずに具体化してもよい。
・上記実施の形態２において、複数本の針金材３１ａを組み合わせて形成される包囲体としてのケージ３１以外にガラス張りのボックスタイプの包囲体で具体化してもよい。
・交換シート５９の便受け部６１ａ，６１ｂの両方に切り込みを形成し、交換シート５９の組み立て時には両便受け部６１ａ，６１ｂの切り込みを交差させることで、立体形状を保持するように形状保持手段を構成してもよい。
・上記第２実施形態において、包囲体としてのケージ３１のコーナー部Ｃ１は平面直角状であったが、曲面状に形成されたコーナー部や鈍角状、鋭角状のコーナー部を有する包囲体で具体化してもよい。この場合においても受皿４１、交換シート５９等の各部材の平面形状を包囲体のコーナー部の形状に対応させて形成する。
・上記実施の形態２において、交換シート５９に立体形状保持手段としての差し込み孔６２等を設けることなく、接着剤や粘着テープ等を使用して、交換シート５９の組み立てを行うようにしてもよい。
・上記実施の形態２において、交換シート５９の材質を紙以外の例えば、折り曲げ可能な薄板状の塩化ビニールやＰＥＴ（ポリエチレンテレフタレート）等から構成してもよい。
・上記実施の形態２において、交換シート５９を複数枚の紙から構成して具体化してもよい。
・上記実施の形態２において、包囲体としてのケージ３１に対するペット用トイレ４０のズレを防止するために、補強部材としての衝立プレート５０に係合部としてのプレート結合片５７を設け、同結合片５７に貫抜きプレートＫを係合させて行ったが、これらを使用せずに、その他の構成を用いてケージ３１に対するペット用トイレ４０のズレを防止するようにしてもよい。
・上記実施の形態２において、吸水マット４４を使用せずに具体化してもよい。
・上記実施の形態２において、包囲体としてのケージ３１の各コーナー部Ｃ１（全４コーナー部）にペット用トイレ４０を配置して具体化してもよい。
その他、本発明はその趣旨を逸脱しない範囲において変更した態様で実施することは自由である。
【図面の簡単な説明】
【００１８】
【図１】実施の形態１におけるペット用トイレの斜視図である。
【図２】実施の形態１におけるペット用トイレの1部を切り欠いた平面図である。
【図３】実施の形態１におけるペット用トイレを分解した状態の斜視図である。
【図４】実施の形態１における図３のＪ−Ｊ視断面図である。
【図５】実施の形態１における図３のＬ−Ｌ視断面図である。
【図６】実施の形態１における図３のＫ−Ｋ視断面図である。
【図７】保持機構の実施の形態１とは別実施形態を表した部分断面図である。
【図８】固定機構の実施の形態１とは別実施形態を表した部分断面図である。
【図９】実施の形態２におけるケージ内にペット用トイレを配置した斜視図である。
【図１０】実施の形態２におけるペット用トイレの斜視図である。
【図１１】実施の形態２におけるペット用トイレの分解斜視図である。
【図１２】実施の形態２におけるペット用トイレの平面図である。
【図１３】実施の形態２における図１２のＡ−Ａ線断面図である。
【図１４】実施の形態２における交換シートの展開図である。
【図１５】（ａ）は実施の形態２における交換シートを組み立てた状態の斜視図である。（ｂ）は山折り線部を折り曲げた状態の斜視図である。
【図１６】実施の形態２における衝立プレートの部分平面図である。
【図１７】実施の形態２における図１２のＢ−Ｂ線の簀の子プレートの断面図である。
【図１８】実施の形態２における図１０よりも開口部の面積が大きいペット用トイレの斜視図である。
【符号の説明】
【００１９】
３１…包囲体としてのケージ、４０…ペット用トイレ、４１…受皿、４４…吸水マット、４５…蓋部材としての簀の子プレート、４７…貫通孔、４８ａ，４８ｂ…切欠溝、５０…補強部材としての衝立プレート、５６…係合部を構成する係止片、５７…包囲体係合部を構成するプレート結合片、５９…薄板材としての交換シート、６０…衝立部、６１ａ，６１ｂ…便受け部、６２…立体形状保持手段を構成する差し込み孔、６３…立体形状保持手段を構成する挿入部、Ｔ１…分割線としての第１の谷折り線、Ｔ２，Ｔ３…連結部としての第２の谷折り線及び第３の谷折り線、Ｙ１，Ｙ２…折り畳み線としての第１及び第２の山折り線、Ｋ…包囲体係合部を構成する貫抜きプレート、Ｃ１〜Ｃ４…コーナー部、Ｓ…開口部。
【図１】
2006014727.tif 000003
【図２】
2006014727.tif 000004
【図３】
2006014727.tif 000005
【図４】
2006014727.tif 000006
【図５】
2006014727.tif 000007
【図６】
2006014727.tif 000008
【図７】
2006014727.tif 000009
【図８】
2006014727.tif 000010
【図９】
2006014727.tif 000011
【図１０】
2006014727.tif 000012
【図１１】
2006014727.tif 000013
【図１２】
2006014727.tif 000014
【図１３】
2006014727.tif 000015
【図１４】
2006014727.tif 000016
【図１５】
2006014727.tif 000017
【図１６】
2006014727.tif 000018
【図１７】
2006014727.tif 000019
【図１８】
2006014727.tif 000020